(57)【要約】【課題】  この発明は、被検者に圧迫感等を与えることなく、耳鼻咽喉科のＸ線撮影を行えるＸ線撮影装置を提供することにある。【解決手段】  この発明は、被検者Ｏの頭部に対して相互に対向配置されたＸ線照射部５１とＸ線検出部５２とを有する旋回アーム５と、この旋回アーム５を保持する保持フレームと４、この保持フレーム４を支持する支持本体３と、この支持本体３に取り付けられる水平フレーム６と、この水平フレーム６の先端部に設けられた被検者を所定の撮影位置に支持するチークレスト７３と、を備え、チークレスト７３は、被検者Ｏの頬と当接する立ち上がり壁７２５を有し、前記Ｘ線検出部５２に対して被検者Ｏの正中線が所定角度傾けた状態でチークレスト７３に被検者Ｏを保持し、旋回アーム５を所定位置に旋回させ、Ｘ線照射部５１からＸ線を照射し、Ｘ線検出部５２で所定のＸ線データを検出し、この検出データに基づきＸ線画像データを表示する。【選択図】    図１３
2015083024.tif 000002
【特許請求の範囲】
【請求項１】
被検者の頭部に対して相互に対向配置されたＸ線照射部とＸ線検出部とを有する旋回アームと、この旋回アームを保持する保持フレームと、この保持フレームを支持する支持本体と、この支持本体に取り付けられる水平フレームと、この水平フレームの先端部に設けられた被検者を所定の撮影位置に支持する被検者保持装置と、を備え、
前記被検者保持装置は、被検者の頭部を所定角度に保持する保持部を有し、前記Ｘ線検出部に対して被検者の正中線が所定角度傾けた状態で前記被検者保持装置に被検者を保持し、前記旋回アームを所定位置に旋回させ、前記Ｘ線照射部からＸ線を照射し、前記Ｘ線検出部で所定のＸ線データを検出し、この検出データに基づきＸ線画像データを表示することを特徴とするＸ線撮影装置。
【請求項２】
前記被検者保持装置の保持部は、前記水平フレームと平行に取り付けられた顎支持部と、この顎支持部に対して処置の角度を傾斜して設けられた立ち上がり壁とを有することを特徴とする請求項１に記載のＸ線撮影装置。
【請求項３】
前記立ち上がり壁は、前記顎支持部の垂線に対して１５°〜４５°の間の角度に設定されていることを特徴とする請求項２に記載のＸ線撮影装置。
【請求項４】
前記立ち上がり壁は、顎支持部の両翼に設けられていることを特徴とする請求項２又は請求項３に記載のＸ線撮影装置。
【請求項５】
前記顎支持部に顎を載せる位置を認識させる凸部が設けられていることを特徴とする請求項２ないし請求項４のいずれか１項に記載のＸ線撮影装置。
【請求項６】
前記旋回アームは、前記保持フレームに対して水平移動させる旋回軸位置設定手段を有し、前記Ｘ線検出部の中心位置に被検者の撮影中心を合わせる第１の方向に水平移動することを特徴とする請求項１に記載のＸ線撮影装置。
【請求項７】
被検者の頭部に対して相互に対向配置されたＸ線照射部とＸ線検出部とを有する旋回アームと、この旋回アームを保持する保持フレームと、この保持フレームを支持する支持本体と、この支持本体に取り付けられる水平フレームと、この水平フレームの先端部に設けられた被検者を所定の撮影位置に支持する被検者保持装置と、を備え、
前記被検者保持装置は、被検者の頭部を所定角度に保持する保持部を有し、前記Ｘ線検出部に対して被検者の正中線が所定角度傾けた状態で前記被検者保持装置に被検者を保持した状態で、前記旋回アームを所定位置に旋回させて、前記旋回アームを停止させた状態で、前記Ｘ線照射部からＸ線を照射し、前記Ｘ線検出部で所定のＸ線データを検出することを特徴とするＸ線撮影方法。
【請求項８】
前記Ｘ線検出部の中心位置に被検者の撮影中心を合わせる第１の方向に、前記旋回アームを第１の方向へ水平移動させた後、前記Ｘ線照射部からＸ線を照射し、前記Ｘ線検出部で所定のＸ線データを検出することを特徴とする請求項７に記載のＸ線撮影方法。
【請求項９】
Ｘ線照射の前に、更に、前記Ｘ線検出部を被験者側に近づけるように、前記旋回アームを前記第１の方向とは直交する第２の方向に移動させることを特徴とする請求項７又は請求項８に記載のＸ線撮影方法。
【請求項１０】
前記被検者保持装置の保持部は、前記水平フレームと平行に取り付けられた顎支持部と、この顎支持部に対して処置の角度を傾斜して設けられた立ち上がり壁とを有し、前記立ち上がり部に被検者の頬を当接させて位置決めを行うこと特徴とする請求項７〜請求項９のいずれか１項に記載のＸ線撮影方法。
【発明の詳細な説明】
【技術分野】
【０００１】
この発明は、耳鼻咽喉科などに好適に用いられるＸ線撮影装置及びＸ線撮影方法に関するものである。
【背景技術】
【０００２】
歯科、耳鼻科などに用いられるアーム型頭頸部Ｘ線撮影装置において、被検者の頭部を位置決め保持し、平面断層撮影と曲面断層撮影とが共用できるものがある。かかる装置においては、上方に位置する顎関節と、下方に位置する下顎先端のように、上下に離れた部位を照射野の中心に位置する必要がある。
【０００３】
被検者の頭部を位置決めする装置としては、例えば、被検者の下顎が載置されるチンレスト、被検者の頭部の前額面と当接する前頭部押さえ部材と、被検者の両側頭部に当接される一対の側頭部押さえ部材とで構成されている。
【０００４】
被検者の身長等に合わせて、チンレストを保持する水平フレーム等を上下に移動させた後、上記のチンレストを被検者の前後方向に変位させると共に、前頭部押さえ部材に被検者の前額面を当接させ、側頭部押さえ部材で両側頭部を押さえて、被検者の撮影部位がＸ線照射面に一致するように被検者の位置決めを行った後に、撮影を行っている。
【０００５】
一方、耳鼻咽喉科専用のＸ線撮影装置は、図３３に示すようなものがある。このＸ線撮影装置は、床面に設置されるベース１０１に、垂直に支柱１０２が取り付けられ、この支柱１０２には、上下移動可能及び任意の高さで固定可能にアームホルダー１０３が設けられている。
【０００６】
このアームホルダー１０３には、アーム１０４が水平軸に関して水平軸に対して回転可能に支持され、更にアーム１０４の両端にはＸ線管１０５と撮影台１０６がそれぞれ搭載されている。耳鼻咽喉撮影は、撮影台１０６上に被検者の頭部を撮影台に顔を向けて載せた状態で行われる。
【０００７】
耳鼻咽喉撮影では、撮影対象部位を的確にフィルム等に写し込むために、撮影台に対して被検者の頭部を正確に角度付けする必要がある。すなわち、人体を左右に２等分する矢状線いわゆる正中線（Ｃ）（図３４（ａ）参照）、眼窩下縁と耳孔とを結ぶ眼窩下線耳孔線いわゆるドイツ水平線（Ｄ）（図３４（ｂ）参照）、外眼角と外耳孔とを結ぶ眼窩耳孔線いわゆるＯＭライン（ＯＭ）（図３４（ｃ）参照）等の人体線を撮影法に応じて使い分け、この線を撮影台１０６に対して正確に角度付けすることが非常に重要である。
【０００８】
この正確な角度付けのために、従来は、フィッシャ角度計と呼ばれる撮影補助具が使われている。フィッシャ角度計は、金属製の分度器と可動針とからなり、分度器を参照して撮影法に応じて可動針の
角度を合わせ、その可動針に対してドイツ水平線等が重なるように被検者の頭部の角度を調整する。
【０００９】
しかし、被検者の頭部が部分的にフィッシャ角度計の影になり、被検者のドイツ水平線等を正確に認識することが困難な場合があり、角度付けの精度が、放射線技師や補助者の経験や技量によって不安定なるなどの傾向が強かった。
【００１０】
そこで、簡単にして、正確な角度付けを実現する撮影補助具が特許文献１に提案されている。
【００１１】
この特許文献１に提案されている撮影補助具は、耳鼻咽喉Ｘ線撮影台に対する被検者の頭部の角度付けを補助するものであり、互いに直交する位置関係にある面を有する透明板に基準性が記され、透明板を通して基準線と被検者の頭部とを同時に確認することで、正確な角度付けを実現するものである。
【先行技術文献】
【特許文献】
【００１２】
【特許文献１】特開２００２-１２５９６２号公報
【発明の概要】
【発明が解決しようとする課題】
【００１３】
上記した耳鼻咽喉科専用のＸ線撮影装置においては、撮影台１０６上に被検者の頭部を撮影台に顔を向けて載せた状態で行われるので、被検者にとっては、撮影台と向き合って撮影台と当接することになり、圧迫感やその体勢を保持することが大変である。上記した、撮影補助具においても、撮影方法は、撮影台１０６上に被検者の頭部を撮影台に顔を向けて載せた状態で行うことを前提としており、被検者にとっては、圧迫感等の問題は何ら解消されていない。
【００１４】
また、アーム型頭頸部Ｘ線撮影装置の旋回アームに配置されたＸ線検出部に被検者を直接触れさせると、旋回アーム部分に負荷がかかり、撮影後旋回アームの調整が必要になり、その調整に時間がかかるという難点がある。
【００１５】
この発明は、被検者がＸ線検出部に当接することなく、耳鼻咽喉科のＸ線撮影を行えるＸ線撮影装置を提供することにある。
【課題を解決するための手段】
【００１６】
この発明のＸ線撮影装置は、被検者の頭部に対して相互に対向配置されたＸ線照射部とＸ線検出部とを有する旋回アームと、この旋回アームを保持する保持フレームと、この保持フレームを支持する支持本体と、この支持本体に取り付けられる水平フレームと、この水平フレームの先端部に設けられた被検者を所定の撮影位置に支持する被検者保持装置と、を備え、前記被検者保持装置は、被検者の頭部を所定角度に保持する保持部を有し、前記Ｘ線検出部に対して被検者の正中線が所定角度傾けた状態で前記被検者保持装置に被検者を保持し、前記旋回アームを所定位置に旋回させ、前記Ｘ線照射部からＸ線を照射し、前記Ｘ線検出部で所定のＸ線データを検出し、この検出データに基づきＸ線画像データを表示することを特徴とする。
【００１７】
また、前記被検者保持装置の保持部は、前記水平フレームと平行に取り付けられた顎支持部と、この顎支持部に対して処置の角度を傾斜して設けられた立ち上がり壁とを有するように構成することができる。
【００１８】
また、前記立ち上がり壁は、前記顎支持部の垂線に対して１５°〜４５°の間の角度に設定するとよい。
【００１９】
また、前記立ち上がり壁は、顎支持部の両翼に設けるように構成することができる。
【００２０】
更に、前記顎支持部に顎を載せる位置を認識させる凸部を設けるとよい。
【００２１】
また、前記旋回アームは、前記保持フレームに対して水平移動させる旋回軸位置設定手段を有し、前記Ｘ線検出部の中心位置に被検者の撮影中心を合わせる第１の方向に水平移動するように構成すればよい。
【００２２】
この発明のＸ線撮影方法は、被検者の頭部に対して相互に対向配置されたＸ線照射部とＸ線検出部とを有する旋回アームと、この旋回アームを保持する保持フレームと、この保持フレームを支持する支持本体と、この支持本体に取り付けられる水平フレームと、この水平フレームの先端部に設けられた被検者を所定の撮影位置に支持する被検者保持装置と、を備え、前記被検者保持装置は、被検者の頭部を所定角度に保持する保持部を有し、前記Ｘ線検出部に対して被検者の正中線が所定角度傾けた状態で前記被検者保持装置に被検者を保持した状態で、前記旋回アームを所定位置に旋回させて、前記旋回アームを停止させた状態で、前記Ｘ線照射部からＸ線を照射し、前記Ｘ線検出部で所定のＸ線データを検出することを特徴とする。
【００２３】
また、前記Ｘ線検出部の中心位置に被検者の撮影中心を合わせる第１の方向に、前記旋回アームを第１の方向へ水平移動させた後、前記Ｘ線照射部からＸ線を照射し、前記Ｘ線検出部で所定のＸ線データを検出するように構成すればよい。
【００２４】
更に、前記Ｘ線検出部を被験者側に近づけるように、前記旋回アームを前記第１の方向とは直交する第２の方向に移動させるように構成することができる。
【００２５】
また、前記被検者保持装置の保持部は、前記水平フレームと平行に取り付けられた顎支持部と、この顎支持部に対して処置の角度を傾斜して設けられた立ち上がり壁とを有し、前記立ち上がり部に被検者の頬を当接させて位置決めを行うように構成することができる。
【発明の効果】
【００２６】
この発明は、被検者とＸ線検出部とは、被検者の顔を当接することがない体位で保持された状態でＸ線撮影が行えるので、被検者に圧迫感等を与えることがなくその体位を維持することができる。また、Ｘ線検出部には、被検者の顔は当接することなく撮影を行えるので、旋回アーム部分に負荷を与えることがなく、旋回アームの再調整も不要となる。
【図面の簡単な説明】
【００２７】
【図１】この発明のＸ線撮影装置の基本構成を説明するブロック図である。
【図２】この発明のＸ線撮影装置の全体構成を示す斜視図である。
【図３】この発明のＸ線撮影装置の全体構成を示す正面図である。
【図４】この発明のＸ線撮影装置の旋回アーム部分を示す斜視図である。
【図５】この発明のＸ線撮影装置の被検者保持部を示す斜視図である。
【図６】この発明のＸ線撮影装置の被検者保持部を示す斜視図である。
【図７】この発明のＸ線撮影装置に用いられる第１の実施形態のチークレストを示す斜視図である。
【図８】この発明のＸ線撮影装置に用いられる第１の実施形態のチークレストを示す正面図である。
【図９】この発明のＸ線撮影装置に用いられる第１の実施形態のチークレストを示す背面図である。
【図１０】この発明のＸ線撮影装置に用いられる第１の実施形態のチークレストを示す上面図である。
【図１１】この発明のＸ線撮影装置に用いられる第１の実施形態のチークレストを示す底面図である。
【図１２】この発明のＸ線撮影装置に用いられる第１の実施形態のチークレストを示す側面図である。
【図１３】図１２のＢ−Ｂ’線断面図である。
【図１４】パーソナルコンピュータ等の操作手段の操作パネルに表示される操作パネル画面の表示例を示す模式図である。
【図１５】操作パネル画面の表示例を示す模式図である。
【図１６】操作パネル画面の表示例を示す模式図である。
【図１７】この発明のＸ線撮影装置に被検者を位置づけした状態を示す側面図である。
【図１８】この発明のＸ線撮影装置に被検者を位置づけした状態を示す側面図である。
【図１９】この発明のＸ線撮影装置に被検者を位置づけしたときの人体基準線との関係を示す側面図である。
【図２０】この発明のＸ線撮影装置に被検者を位置づけしたときの人体基準線との関係を示す上面図である。
【図２１】この発明のＸ線撮影装置の逆の方向に被検者を位置づけした状態を示す側面図である。
【図２２】パーソナルコンピュータ等の操作手段の操作パネルに表示される操作パネル画面の一例を示す模式図である。
【図２３】操作パネル画面の表示例を示す模式図である。
【図２４】この発明のＸ線撮影装置の逆の方向に被検者を位置づけした状態を示す側面図である。
【図２５】この発明のＸ線撮影装置に用いられる第２の実施形態のチークレストを示す斜視図である。
【図２６】この発明のＸ線撮影装置に用いられる第２の実施形態のチークレストを示す正面図である。
【図２７】この発明のＸ線撮影装置に用いられる第２の実施形態のチークレストを示す底面図である。
【図２８】この発明のＸ線撮影装置に用いられる第２の実施形態のチークレストを示す正面図である。
【図２９】この発明のＸ線撮影装置に用いられる第１の実施形態のチークレストを示す底面図である。
【図３０】この発明のＸ線撮影装置に被検者を位置づけした状態を示す側面図である。
【図３１】この発明のＸ線撮影装置に用いられる第３の実施形態のチークレストを示す斜視図である。
【図３２】この発明のＸ線撮影装置に用いられる第４の実施形態のチークレストを示す斜視図である。
【図３３】耳鼻咽喉科専用のＸ線撮影装置を示す側面図である。
【図３４】人体基準線を示す模式図である。
【発明を実施するための形態】
【００２８】
以下、被検者（患者）Ｏの頭部をＸ線撮影するＸ線撮影装置の実施の形態について図面を参照しながら詳細に説明する。なお、図中同一または相当部分には同一符号を付し、説明の重複を避けるためにその説明は繰返さない。
【００２９】
図１は、Ｘ線撮影装置の基本構成を説明するブロック図である。このＸ線撮影装置は、被検者ＯにＸ線を照射するＸ線照射部５１と、被検者Ｏを透過したＸ線を検出するＸ線検出部５２と、Ｘ線照射部５１及びＸ線検出部５２が対向して配置される旋回アーム５とを備える。
【００３０】
Ｘ線照射部５１は、Ｘ線を照射するＸ線管等からなるＸ線発生器５１ａと、Ｘ線ビームの広がりを規制するスリット等からなるコリメータ５１ｂとで構成されており、Ｘ線検出部５２は、２次元的に広がったＣＣＤセンサやＸ線間接変換方式（ＦＰＤ：フラットパネルディテクタ）センサ等からなるＸ線検出器５２ａを設けたセンサホルダ５２ｂで構成されている。センサホルダ５２ｂはＸ線検出部５２に対して着脱自在であるが、Ｘ線検出器５２ａは、センサホルダ５２ｂを介さずにＸ線検出部５２に固定的に設けてもよい。
【００３１】
Ｘ線撮影装置は、パノラマ断層撮影モード、ＣＴ撮影モード、頭部（頭蓋骨）の単純撮影モードを有している。パノラマ断層撮影は、成人用パノラマ撮影、小児用パノラマ撮影、直行パノラマ撮影、顎関節側面撮影（ＴＭＪ４）、顎関節正面撮影（ＴＭＪ２）、上顎洞撮影の各モードがある。パノラマ断層撮影は、Ｘ線照射部５１及びＸ線検出部５２が歯列弓の形状に沿った所定の軌跡を描くように、旋回アーム５を水平移動及び水平旋回させながら断層撮影を行う。
【００３２】
ＣＴ撮影は、デンタル撮影モード（Ｄモード）、インプラント撮影モード（Ｉモード）、上下顎撮影モード（Ａモード）、パノラマティックモード（Ｐモード）、頭部全体撮影モード（Ｆモード）など、最大有効視野に応じた各種撮影モードがある。ＣＴ撮影は、頭頸部領域のＣＴ撮影が可能で、通常は主に歯顎領域の一部又は全部を複数の対象撮影領域（画像再構成範囲）として設定し、択一的に設定された撮影対象領域（画像再構成範囲）を中心に旋回アーム５を回転させながら撮影対象領域（画像再構成範囲）の撮影を行う。
【００３３】
頭部の単純撮影は、正面前後位・後前位撮影、側位撮影など、用途に応じた撮影が行われ、頭部を撮影体位に保持し、所定の位置にＸ線照射部５１及びＸ線検出部５２が配置されるように旋回アーム５を回転させて停止し、その状態で撮影が行われる。
【００３４】
Ｘ線撮影装置は、被検者Ｏの頭部を保持する被検者保持部７と、撮影条件、昇降本体の移動を指示する等の命令を与えるための操作部８と、旋回アーム５と旋回アーム５を支持する昇降本体並びに被検者保持部７をそれぞれ駆動する駆動ユニット部９と、撮影装置本体制御部１０とを備えている。
【００３５】
被検者保持部７は、被検者Ｏの頭部を固定するための頭部固定装置７０と図１においては、図示はしていないが、被検者Ｏが握るための一対のグリップを備える。
【００３６】
頭部固定装置７０は、被検者Ｏの顎を乗せ、被検者Ｏの頬に当接する立ち上がり壁を有するチークレスト７２を備える。
【００３７】
操作部８は、撮影モード選択、撮影部位選択、撮影条件の設定等を行うためのパーソナルコンピュータやワークステーションの操作手段(図示しない)と後述する操作パネル８０を備える。操作パネル８０は、小型液晶パネルや複数の操作釦で構成されている。操作釦のほか、キーボード、マウス、タッチパネル等の入力手段を用いることもできる。また、操作パネル８０が液晶モニタ等のディスプレイからなる表示手段を備えるようにしてもよい。
【００３８】
駆動ユニット部９は、撮影時に旋回アーム５の旋回軸５ｃを撮影モードに対応した位置に移動させるために、旋回軸５ｃをＸＹ方向（水平方向）に移動させる旋回軸位置設定手段９ａを備える。旋回軸位置設定手段９ａは、Ｘ方向、Ｙ方向に移動させるものであればよい。例えば、ＸＹ方向（水平方向）に移動するＸＹテーブルを備えたものや、回転軸とクランクとを備え、Ｘ方向と、Ｙ方向に移動可能な構成などを適用することができる。ＸＹ方向（水平方向）に移動するＸＹテーブルを備える場合には、旋回軸位置設定手段９ａは、旋回アーム５の旋回軸５ｃを水平移動させるＸ軸モータ、Ｙ軸モータを備えている。また、駆動ユニット部９は、旋回アーム５を回転させるＸＹテーブルに設けられた旋回軸回転手段９ｂの旋回用モータを備えている。
【００３９】
まず、旋回軸５ｃは、被検者Ｏの正中線に一致するように設定される。例えば、パノラマ断層撮影時には、旋回アーム５の旋回軸５ｃは歯列弓の形状に沿った所定の軌跡を描くように水平移動し、回転する。ＣＴ断層撮影時は、対象撮影領域（画像再構成範囲）を中心に旋回アーム５を旋回させるように、所定の位置に旋回アーム５の旋回軸５ｃが移動して、その位置で旋回軸５ｃが固定した状態で回転する。単純撮影時には、所定の位置にＸ線照射部５１及びＸ線検出部５２が配置されるように、旋回軸５ｃをＸＹ方向（水平方向）に移動させると共に、旋回アーム５を回転させて停止させる。
【００４０】
Ｘ線撮影装置は、後述するように、被検者Ｏに応じて旋回アーム５及び被検者保持部７を所定の高さに移動させるために、昇降本体３を支柱２（図２及び図３参照）に対して上下に移動するための昇降本体移動手段９ｃを有する。旋回アーム５及び被検者保持部７は、昇降本体３に支持されており、昇降本体３の上下移動により、旋回アーム５及び被検者保持部７が所定の高さに移動する。
【００４１】
また、Ｘ線撮影装置は、被検者Ｏを被検者保持部７にて所定の位置に保持した後、撮影対象領域（画像再構成範囲）ｒｒを設定させることができる。更に、撮影部位を下顎領域から上顎領域に変更する場合などのように撮影部位を上下に移動させることができる。このとき、昇降本体３を上下に移動させるために昇降本体移動手段９ｃが移動する。そして、駆動ユニット部９には、被検者保持部７を移動させる固定機構移動手段９ｄを備え、昇降本体移動手段９ｃの移動に同期して、固定機構移動手段９ｄが移動し、被検者保持部７の位置をベース１（図２及び図３等参照）位置に対して一定の位置に保つように移動する。
【００４２】
撮影時には、Ｘ線照射部５１及びＸ線検出部５２の対は、被検者Ｏの頭部を挟んで互いに対峙するように位置する。パノラマ撮影、ＣＴ撮影時には、その対毎一体に頭部の周りを回転するように駆動される。単純撮影時は、旋回アーム５は、停止した状態に保たれる。
【００４３】
撮影装置本体制御部１０は、駆動ユニット部９を制御する制御プログラムを含んだ各種制御プログラムを実行する制御装置１０ａと、Ｘ線照射部５１を制御するＸ線発生部制御手段１０ｂと、Ｘ線検出部５２を制御するＸ線検出部制御手段１０ｃとを備えている。
【００４４】
制御装置１０ａは、昇降本体移動手段９ｃ、固定機構移動手段９ｄを操作部８からの命令に従って制御する。すなわち、被検者Ｏを被検者保持部７へ導入する場合には、昇降本体移動手段９ｃを駆動させ、昇降本体３を所定位置まで上下させる。また、被検者Ｏを被検者保持部７にて所定の位置に保持した後、撮影部位を上下に移動させる場合には、昇降本体移動手段９ｃの駆動とこの駆動に同期して固定機構移動手段９ｄを駆動させる。
【００４５】
Ｘ線撮影装置は、図示しない画像表示装置と通信ケーブル等で接続され、Ｘ線撮影装置で撮影したデータを画像表示装置に送り、画像表示装置で再構成等の処理を行い、パノラマ画像、ＣＴ画像、単純撮影のデジタルＸ線画像等が表示される。画像表示装置は、例えば、パーソナルコンピュータやワークステーションで構成されている。この画像表示装置を構成するパーソナルコンピュータやワークステーションの操作手段を用いて、撮影モードの設定を行うことができる。
【００４６】
図２はＸ線撮影装置の全体構成を示す斜視図、図３はＸ線撮影装置の全体構成を示す正面図、図４は旋回アーム部分を示す斜視図である。
【００４７】
このＸ線撮影装置は、床面に設置されたベース１に支柱２が立設されている。支柱２に昇降本体３が上下移動可能に支持されている。昇降本体３の上部に保持フレーム４が支持されており、保持フレーム４の先端部側に旋回アーム５が取り付けられている。また、保持フレーム４内に駆動ユニット部が設けられている。
【００４８】
昇降本体３には、水平フレーム６が固定され、昇降本体３の上下動に伴い、旋回アーム５と水平フレーム６が一体的に上下動する。昇降本体３には、撮影対象領域を示すビーム発生器３１が設けられ、被検者Ｏに撮影モードに応じたビームが照射される。
【００４９】
保持フレーム４の下部には、略コの字状に形成された旋回アーム５が旋回可能に支持されており、旋回アーム５の両側にＸ線照射部５１及びＸ線検出部５２が設けられている。保持フレーム４の昇降本体３との接続部分には、昇降本体移動手段（図示せず）が設けられている。例えば、昇降本体移動手段は、電動アクチュエータが用いられ、電動アクチュエータの動作で昇降本体３が支柱２に対して上下に移動する。昇降本体移動手段は、昇降本体３を支柱２に対して上下に移動させるものであればよく、電動アクチュエータ以外にもモータとボールねじなどで構成することも可能である。
【００５０】
旋回アーム５には、パノラマ断層撮影等の際の前後の位置を決めるために、位置決めビーム発生装置５３が設けられ、位置決めビーム発生装置５３から出射される位置決めビームにより、被検者Ｏの前後位置を調整する。
【００５１】
図４に示すように、Ｘ線検出部５２には、４つのシール５２ｃが貼り付けられており、これら４つのシール５２ｃの対向するシール５２ｃ間を図中の仮想の点線で結んだ交点が被検者Ｏの撮影中心を示す位置となる。この交点に被検者Ｏの撮影中心が位置するように、図中矢印Ａ−Ｂ方向（第１の方向）に旋回アーム５を移動させることができる。
【００５２】
水平フレーム６には、正中ビーム発生装置６１が設けられ、正中ビーム発生装置６１から出射される正中ビームにより、被検者Ｏの正中線の位置決めが行われる。
【００５３】
また、水平フレーム６の先端部には、被検者保持部７が水平フレーム６に対して独立して上下に移動可能に取り付けられている。
【００５４】
被検者保持部７は、被検者Ｏの頭部を固定するための頭部固定装置７０と被検者Ｏが握るための一対のグリップ７１を備える。
【００５５】
頭部固定装置７０は、撮影に際して被検者Ｏの頭部を安定的に固定するために、被検者Ｏの顎を乗せ、被検者Ｏの頬に当接する立ち上がり壁を有するチークレスト７２を備えている。
【００５６】
この実施形態の被検者Ｏの顎を載せ保持する保持部としてのチークレスト７２は、後述するように、このＸ線撮影装置におけるシューラー法に対応した撮影（以下、「シューラー法に準ずる撮影」という。）等の際に用いられるものであり、正面方向から見てＸ線検出部５２に対して被検者Ｏの正中線（Ｃ）との傾斜が１５°〜４５°程度となるように、被検者Ｏが体勢を維持するための補助を行うものである（後述の図１８ないし図２０参照）。シューラー法に準ずる撮影をこのＸ線撮影装置で行うためには、被検者Ｏが所定の角度に顔を傾ける必要がある。このため、この実施形態では、被検者Ｏが顔を傾けて所定の角度になるように、所定の角度に顔を傾けた時に頬が当たる立ち上がり壁７２５を設けている（後述の図９、図１０参照）。
【００５７】
この立ち上がり壁７２５は、頬が当接したときに、被検者Ｏの正中線（Ｃ）がＸ線検出部５２に対して１５°〜４５°の間の所定の角度に傾くように、被検者保持部７の水平面７ａ（頭部固定装置７０の水平面）と平行な顎支持部７２１の垂線方向に対して１５°〜４５°の間の所定の角度に傾けて設けられている。この立ち上がり壁７２５の角度は、所望する被検者Ｏの正中線（Ｃ）の傾きの設定範囲、立ち上がり壁７２５の高さ、顎支持部７２１の長さなどにより、好ましい角度を決めればよい。
【００５８】
水平フレーム６には、操作パネル８０が取り付けられ、この操作パネル８０を用いて昇降本体３の移動、被検者保持部７の移動を指示する。この操作パネル８０は、例えばタッチパネルで構成され、Ｘ線撮影装置の各種動作を指示するためのアイコンが表示され、該当するアイコンをタッチすることでその動作が選択される。
【００５９】
前述したように、昇降本体３には、撮影対象領域（画像再構成範囲）等を示すビーム発生器３１が設けられ、ビーム出射部より、被検者Ｏに、ＣＴ撮影等によって撮影される領域等を示すビームが照射される。かかるビームに応じて、昇降本体３を上下させて位置合わせを行う。
【００６０】
上記のように、駆動ユニット部９には、昇降本体移動手段９ｃ及び固定機構移動手段９ｄを備える。昇降本体移動手段９ｃは、電動アクチュエータの動作により、昇降本体３が上下に移動する。固定機構移動手段９ｄは、モータ、スプロケット、チェーンを備え、モータの回転により、被検者保持部７を水平フレーム６に対して上下動する。被検者Ｏを頭部固定装置７０に固定し、位置決めした後は、昇降本体３が上下動してもベース１からの位置に対して被検者保持部７は、その高さ位置が変わらないように、固定機構移動手段９ｄが動作する。すなわち、昇降本体移動手段９ｃの駆動により昇降本体３が上の方向へ移動すると、固定機構移動手段９ｄが駆動し、被検者保持部７が下の方向へ移動する。逆に、昇降本体移動手段９ｃの駆動により昇降本体３が下の方向へ移動すると、固定機構移動手段９ｄが駆動し、被検者保持部７が上の方向へ移動する。このように、被検者保持部７は、その高さ位置が変わらないように、昇降本体３の移動に同期して固定機構移動手段９ｄが動作し水平フレーム６に対して移動する。例えば、昇降本体３が上に移動する時は、水平フレーム６に対して被検者保持部７が下方向に同期して移動し、ベース１からの位置に対して被検者保持部７は、その高さ位置を保つよう構成されている。
【００６１】
Ｘ線照射部５１において、Ｘ線発生器５１ａの前方に設けられたコリメータ５１ｂは、形状を異ならせた複数のスリットを形成したマスクで構成されており、撮影モードを選択することで、スリットのいずれかが選択され、選択したスリットによってＸ線発生器５１ａから照射されたＸ線ビームの広がりを制限する仕組みになっている。
【００６２】
次に、水平フレーム６と被検者保持部７について、図５ないし図１３に従い説明する。
【００６３】
水平フレーム６は、昇降本体３に取り付けられ、昇降本体３と一体に上下に移動する。水平フレーム６の先端部には、被検者保持部７が水平フレーム６に対して独立して上下に移動可能に取り付けられている。
【００６４】
被検者保持部７は、被検者Ｏの頭部を固定するための頭部固定装置７０と被検者Ｏが握るための一対のグリップ７１を備える。
【００６５】
頭部固定装置７０は、被検者Ｏの顎を乗せ、被検者Ｏの頬を立ち上がり壁７２５に当接させて撮影角度を維持するためのチークレスト７２を備える。
【００６６】
図７ないし図１３に示すこの発明の第１の実施形態のチークレスト７２は、シューラー法に準ずる撮影等の際に用いられるものであり、正面方向から見てＸ線検出部５２に対して被検者Ｏの正中線（Ｃ）との傾斜が１５°〜４５°程度となるように、被検者Ｏが体勢を維持するための補助を行うものである。この第１の実施形態では、被検者Ｏが顔を傾けて所定の角度になるように、所定の角度に顔を傾けた時に頬が当たる立ち上がり壁７２５を設けている。この立ち上がり壁７２５は、頬が当接したときに、被検者Ｏの正中線（Ｃ）が１５°〜４５°の間の所定の角度に傾くように、被検者保持部７の水平面７ａ（頭部固定装置７０の水平面）と平行な顎支持部７２１の垂線に対して１５°〜４５°の間の所定の角度傾けて設けられている。この立ち上がり壁７２５の角度は、所望する被検者Ｏの正中線（Ｃ）の傾きの設定範囲、立ち上がり壁７２５の高さ、顎支持部７２０の長さなどにより決定され、この第１の実施形態では、図９及び図１０に示すように、顎支持部７２１の垂線に対して３０°の角度の立ち上がり壁７２５を有する。また、顎支持部７２１から立ち上がり壁７２５の先端までの高さは、Ｘ線検出部５２に立ち上がり壁７２５が写り込まないようにする方がよい。
【００６７】
例えば、シューラー法に準ずる撮影を行う場合に、正面方向から見てＸ線検出部５２に対して被検者Ｏの正中線（Ｃ）との傾斜が３０°程度に設定した場合には、顎支持部７２１の垂線に対して立ち上がり壁７２５の角度が３０°になるように設定すれば、この立ち上がり壁７２５に頬を当接させることで、Ｘ線検出部５２に対して被検者Ｏの正中線（Ｃ）との傾斜が３０°程度の位置に容易に位置決めできる。もちろん、３０°の角度以外に上述した１５°〜４５°の間の角度に設定された立ち上がり壁７２５を用いてもよい。この場合、Ｘ線検出部５２に対する被検者Ｏの正中線（Ｃ）との傾斜角度をスケール等で確認する方がより好ましい撮影が行える。
【００６８】
このチークレスト７２は、頭部固定装置７０の固定孔部７２０ａに挿入され、固定される取付部７２２とその取付部７２２の後方に連接する基部７２３を有する。基部７２３に顎支持部７２１が取り付けられる。
【００６９】
図１０〜図１２に示すように、顎支持部７２１の中央部の下方には、基部７２３の孔部に挿入される軸７２７ｂを有する支持部材７２７が設けられている。この支持部材７２７の軸７２７ｂを基部７２３の孔部７２３ｃに挿入し、基部７２３に設けられたボルト７２３ｂを締め付けることにより、孔部７２３ｃが締まり、基部７２３に支持部材７２７が固定される。
【００７０】
顎支持部７２１の中央部には、顎を載せる位置が認識できるように、円弧状の凸部７２６が設けられている。この凸部７２６を中心として左右に顎支持部７２１が延在している。この顎支持部７２１は、被検者保持部７に取り付けた際に、被検者保持部７の水平面７ａ（頭部固定装置７０の水平面）と平行になるように形成されている。そして、顎支持部７２１の先端側に顎支持部７２１の垂線に対して１５°〜４５°、この実施形態では、３０°の角度に設定された立ち上がり壁７２５を有する。この実施形態のチークレスト７２は、顎支持部７２１の両翼に立ち上がり壁７２５が設けられている。そして、チークレスト７２の凸部７２６から立ち上がり壁７２５が立ち上がるまで水平距離（Ｌ）は７０ｍｍ、顎支持部７２１からの根元から立ち上がり壁７２５の先端までの距離（Ｈ）は、５５ｍｍ、顎支持部７２１及び立ち上がり壁７２５の幅（Ｗ）は５０ｍｍである。
【００７１】
上記した大きさのチークレスト７２の場合、被検者Ｏの正中線（Ｃ）との傾斜が３０°程度であれば、顎支持部７２１の垂線に対して立ち上がり壁７２５の角度が３０°に設定すると、被検者Ｏが頬を立ち上がり壁７２５に当接させると、所望の傾斜角度である３０°に、被検者Ｏを位置決めすることができる。
【００７２】
尚、チークレストの７２の大きさが変わると、立ち上がり壁７２５の角度も変える方が、位置決めが容易となる場合ある。例えば、距離（Ｈ）が小さくなる、即ち、立ち上がり壁７２５の高さが低くなると、顎支持部７２１の垂線に対する角度をより鋭角にする方がよい。
【００７３】
図５及び図６に示すように、頭部固定装置７０の固定孔部７２０ａにチークレスト７２の取付部７２２を挿入して取り付けることにより、被検者保持部７にチークレスト７２が固定される。この被検者保持部７に取り付けたチークレスト７２の顎支持部７２１の平面と、被検者保持部７の水平面７ａとの間のなす角度は平行な状態となる。この顎支持部７２１の先端側に顎支持部７２１の垂線に対して３０°の角度に設定された立ち上がり壁７２５が設けられている。
【００７４】
この実施形態では、顎支持部７２１の凸部７２６に、被検者Ｏの顎を当てて位置決めし、立ち上がり壁７２５に頬が当接するように、被検者Ｏの頭を傾けると、正面方向から見てＸ線検出部５２に対して被検者Ｏの正中線（Ｃ）との傾斜が３０°となるように、被検者Ｏの体位が位置決めされる。
【００７５】
撮影を行う場合には、正中ビームと被検者Ｏの正中ラインとが一致するように、被検者Ｏが頭部固定装置７０のチークレスト７２の顎支持部７２１の凸部７２６に、被検者Ｏの顎を当てて位置決めし、立ち上がり壁７２５に頬が当接するように、被検者Ｏの頭を傾けて被検者Ｏの位置が決められる。ビーム発生器３１から出射されるビームを用いて、チークレスト７２に顎を載せた被検者Ｏの撮影領域に対応するように、昇降本体３の高さの位置決めが行われる。
【００７６】
シューラー法に準ずる撮影を行う場合には、正面方向から見てＸ線検出部５２に対して被検者Ｏの正中線（Ｃ）との傾斜が例えば、３０°となるように、被検者Ｏの体位の位置決めを行う。この位置決めは、被検者Ｏが頭部固定装置７０のチークレスト７２の顎支持部７２１の凸部７２６に、被検者Ｏの顎を当てて位置決めし、立ち上がり壁７２５に頬が当接することにより行われる。シューラー法に準ずる撮影は、乳突部蜂巣群から鱗部蜂巣群の全体を観察に適した撮影方法で、内耳道と外耳道とが重なり、乳突部、鼓室、Ｓ状静脈洞を抽出する。
【００７７】
次に、この発明のＸ線撮影装置の使用動作につき説明する。図示しないパーソナルコンピュータ等を用いて、単純撮影モード（一般撮影モード）を選択し、各種設定を行う。図１４は、パーソナルコンピュータ等の操作手段の操作パネルに表示される操作パネル画面の表示例を、図１５及び図１６は操作パネル８０に表示される操作パネル画面８０ａの表示例を示している。シューラー法に準ずる撮影を行う場合には、パーソナルコンピュータ等の操作手段の操作パネル画面の側面（Ｒ）又は側面（Ｌ）のアイコンをクリックする。この図１４に示す実施形態においては、側面（Ｒ）の撮影モードを選択している。そして、管電圧、管電流、被検者Ｏのサイズを選択する。撮影モードを選択すると、その撮影モードに対応した原点位置が設定される。
【００７８】
操作パネル８０に表示される操作パネル画面８０ａ内のリセットボタン８１を押すと、旋回アーム５が回転し、原点位置に戻り停止する。この側面（Ｒ）の撮影モードの原点位置は、Ｘ線照射部５１が被検者Ｏの左側に位置し、Ｘ線検出部５２が被検者Ｏの右側に位置する、即ち、Ｘ線検出部５２が被検者Ｏの右側の外耳孔に近接する位置である。シューラー法に準ずる撮影は、検側をＸ線検出部５２に向けた側位で、ドイツ水平面（Ｄ）に対して、側頭部側より３０°の角度で検側外耳孔に向けてＸ線を入射させる。このため、後述するように、被検者Ｏの正中線がチークレスト７２の顎支持部７２１の垂線より３０°、Ｘ線照射部５１に傾けるように撮影前に位置決めを行った後に撮影が行われる。
【００７９】
上記のように、操作パネル画面８０ａ内のリセットボタン８１が押されると、旋回軸位置設定手段９ａが撮影モード選択時に設定された原点位置に旋回軸５ｃを移動させ、そして、旋回アーム５が回転し、上記した原点位置、被検者Ｏの患部側の耳孔部がＸ線検出部５２側に、被検者Ｏの逆の耳側からＸ線が照射する位置で旋回アーム５が停止する。
【００８０】
そして、被検者ＯをＸ線撮影装置に近くに誘導し、チークレスト７２の真下に被検者Ｏの足の位置を合わせて立たせる。まず、被検者Ｏの下顎の高さにチークレスト７２の顎支持部７２１を合わせるように、操作パネル８０に表示される操作パネル画面８０ａ内の上昇ボタン８２又は下降ボタン８３を操作し、昇降本体３を昇降させる。この昇降を指示すると、昇降本体移動手段９ｃが動作し、昇降本体３が上下に移動する。このとき、被検者保持部７も水平フレーム６と一体に昇降本体３と共に上下に移動する。チークレスト７２の顎支持部７２０の凸部７２６に被検者Ｏの顎を位置決めして載せる。そして、位置づけビームスイッチ８９を押すと、正中ビーム発生装置６１から正中ビームが出射される。正中ビームと被検者Ｏの正中線を合わせる。
【００８１】
この状態で、Ｘ線検出部５２の被検者Ｏの撮影中心となる位置に設定した箇所に、被検者Ｏの撮影対象の中心に位置するように、操作パネル８０に表示される操作パネル画面８０ａ内のボタン８４、８５を押すことにより、第１の方向、即ち、図４の矢印Ａ又はＢ方向（前後方向）に旋回アーム５が水平移動する。この実施形態では、ボタン８４を押すと矢印Ｂ方向(前進)に旋回アーム５が移動し、ボタン８５を押すと、矢印Ａ方向（後退）に旋回アーム５が移動する。前述したように、Ｘ線検出部５２には、４つのシール５２ｃが貼り付けられており、これら４つのシール５２ｃの交点に被検者Ｏの撮影中心が位置するように、図中矢印Ａ−Ｂ方向（第１の方向）に旋回アーム５を移動させる。
【００８２】
このとき、被検者ＯとＸ線検出部５２とは、被検者Ｏの顔を当接することがない体位で保持されるので、被検者Ｏに圧迫感等を与えることがない。
【００８３】
尚、原点位置においては、被検者Ｏに近い位置にＸ線検出部５２が位置するように設定しているが、Ｘ線検出部５２が被検者Ｏの撮影対象位置がずれている場合には、旋回アーム５を図４の矢印Ａ−Ｂで示す第１の方向とは直交する図１８の矢印Ｃ−Ｄ方向（第２の方向）に移動させることができるように構成している。このため、操作パネル８０に表示される操作パネル画面８０ａ内の切替ボタン８８押すと、図１６に示すように、矢印Ａ−Ｂ方向に移動させるボタン８４、８５が、矢印Ａ−Ｂで示す第１の方向とは直交する第２の方向である左（Ｌ）又は右（Ｒ）に移動させるボタンとなり、このボタン８４、８５を押して、Ｘ線検出部５２を被検者Ｏに近づける方向に旋回アーム５を移動させる。
【００８４】
続いて、被検者Ｏの頭を傾け、チークレスト７２の立ち上がり壁７２５に頬を当接させる。このとき、撮影モードが側面（Ｒ）を選択しているときには、被検者Ｏは、左側に顔を傾け、左側の立ち上がり壁７２５に頬を当接させる。また、撮影モードが側面（Ｌ）を選択しているときには、被検者Ｏは、右側に顔を傾け、右側の立ち上がり壁７２５に頬を当接させる。
【００８５】
位置づけビームスイッチ８９を押すとビーム発生器３１から撮影領域を示すビームが出射される。このビームを用いて、操作パネル８０に表示される操作パネル画面８０ａ内の撮影位置の上昇ボタン８６、下降ボタン８７を押し、撮影位置の高さ調整を行う。撮影位置の上昇ボタン８６を押し、昇降本体３が上に移動する時は、水平フレーム６に対して被検者保持部７が下方向に同期して移動し、ベース１からの位置に対して被検者保持部７は、その高さ位置を保つ。逆に、下降ボタン８７を押し、昇降本体３が下に移動する時は、水平フレーム６に対して被検者保持部７が上方向に同期して移動し、ベース１からの位置に対して被検者保持部７は、その高さ位置を保つ。そして、レディボタンを押すことで、撮影の準備を完了させる。
【００８６】
コリメータ５１ｂはＣＴ撮影用の最大開口部が選択されている。そして、図１９及び図２０に示すように、被検者Ｏのドイツ水平面（Ｄ）とＸ線検出部５２との間を３０°の角度を保ち、患部側の外耳孔に向けて逆の耳側からＸ線（Ｘ）が照射するようにして、Ｘ線照射スイッチを押すことにより、内耳道と外耳道とが重なり、乳突部、鼓室、Ｓ状静脈洞の単純Ｘ線撮影が行われ、シューラー法に準ずる撮影が完了する。
【００８７】
次に、逆側の耳をシューラー法に準ずる撮影を行う場合につき、図２１〜図２４に従い説明する。この第１の実施形態のチークレスト７２は、左右に立ち上がり壁７２５が設けられているので、被検者Ｏは、逆側の立ち上がり壁７２５を用いて逆側の耳に対して、Ｘ線検出部５２に対して被検者Ｏの正中線（Ｃ）との傾斜が３０°となるように被検者Ｏの頭部が傾けられた状態にして撮影する。まず、逆側の耳の撮影するために、図２１に示すように、被検者Ｏは、頭を立ち上がり壁７２５から頬を外し、頭を真っ直ぐの状態にする。
【００８８】
そして、パーソナルコンピュータ等の操作手段の操作パネル画面の側面（Ｌ）のアイコンをクリックする（図２２参照）。この撮影モードを選択すると、その撮影モードに対応した原点位置が設定される。
【００８９】
この側面（Ｌ）の撮影モードの原点位置は、Ｘ線照射部５１が被検者Ｏの右側に位置し、Ｘ線検出部５２が被検者Ｏの左側に位置する、即ち、Ｘ線検出部５２が被検者Ｏの左側の外耳孔に近接する位置である。図２３で示すように、操作パネル８０に表示される操作パネル画面８０ａ内のリセットボタン８１を押すと、旋回軸位置設定手段９ａが撮影モード選択時に設定された原点位置に旋回軸５ｃを移動させ、そして、旋回アーム５が回転し、上記した原点位置である被検者Ｏの右側頭部がＸ線出射部５１側に、被検者Ｏの左側の外耳孔がＸ線検出部５２側に、位置する所で旋回アーム５が停止する。
【００９０】
そして、図２４に示すように、支柱２側の立ち上がり壁７２５に頬を当接するように、被検者Ｏは、頭の方向きを逆にする。このように、チークレスト７２の顎支持部７２１の凸部７２６に、被検者Ｏの顎を当てて位置決めし、立ち上がり壁７２５に頬が当接させると、逆側の耳に対して、Ｘ線検出部５２に対して被検者Ｏの正中線（Ｃ）との傾斜が３０°となるように被検者Ｏの頭部が傾けられた状態となる。
【００９１】
この状態で、Ｘ線検出部５２の被検者Ｏの撮影中心となる位置に設定した箇所に、操作パネル８０のボタン８４、８５を押すことにより、第１の方向、即ち、図４の矢印Ａ又はＢ方向（前後方向）に旋回アーム５が水平移動させる。この実施形態では、ボタン８４を押すと矢印Ｂ方向(前進)に旋回アーム５が移動し、ボタン８５を押すと、矢印Ａ方向（後退）に旋回アーム５が移動する。前述したように、Ｘ線検出部５２には、４つのシール５２ｃが貼り付けられており、これら４つのシール５２ｃの交点に被検者Ｏの撮影中心が位置するように、図中矢印Ａ−Ｂ方向（第１の方向）に旋回アーム５を移動させる。
【００９２】
このとき、被検者ＯとＸ線検出部５２とは、被検者Ｏの顔を当接することがない体位で保持されるので、被検者Ｏに圧迫感等を与えることがない。
【００９３】
尚、原点位置においては、被検者Ｏに近い位置にＸ線検出部５２が位置するように設定しているが、Ｘ線検出部５２が被検者Ｏの撮影対象位置がずれている場合には、旋回アーム５を図４の矢印Ａ−Ｂで示す第１の方向とは直交する図１８の矢印Ｃ−Ｄ方向（第２の方向）に移動させることができるように構成している。このため、操作パネル８０の切替ボタン８８押すと、図１６と同様に、矢印Ａ−Ｂ方向に移動させるボタン８４、８５が、矢印Ａ−Ｂで示す第１の方向とは直交する第２の方向である左（Ｌ）又は右（Ｒ）に移動させるボタンとなり、このボタン８４、８５を押して、Ｘ線検出部５２を被検者Ｏに近づける方向に旋回アーム５を移動させる。
【００９４】
位置づけビームスイッチ８９を押すとビーム発生器３１から撮影領域を示すビームが出射される。このビームを用いて、操作パネル８０の撮影位置の上昇ボタン８６、下降ボタン８７を押し、撮影位置の高さ調整を行う。撮影位置の上昇ボタン８６を押し、昇降本体３が上に移動する時は、水平フレーム６に対して被検者保持部７が下方向に同期して移動し、ベース１からの位置に対して被検者保持部７は、その高さ位置を保つ。逆に、下降ボタン８７を押し、昇降本体３が下に移動する時は、水平フレーム６に対して被検者保持部７が上方向に同期して移動し、ベース１からの位置に対して被検者保持部７は、その高さ位置を保つ。そして、レディボタンを押すことで、撮影の準備を完了させる。
【００９５】
コリメータ５１ｂはＣＴ撮影用の最大開口部が選択されている。そして、図２４に示すように、被検者Ｏのドイツ水平面（Ｄ）とＸ線検出部５２との間を３０°の角度を保ち、患部側の外耳孔に向けて逆の耳側からＸ線（Ｘ）が照射するようにして、Ｘ線照射スイッチを押すことにより、内耳道と外耳道とが重なり、乳突部、鼓室、Ｓ状静脈洞の単純Ｘ線撮影が行われ、シューラー法に準ずる撮影が完了する。このように、被検者Ｏを装置から移動させることなく、被検者Ｏの頭の傾きを変えるだけで、両耳のシューラー法に準ずる撮影が行え、被検者Ｏに負担を与えることなく、また、撮影に要する時間も大幅に短縮することができる。
【００９６】
次に、この発明のＸ線撮影装置に用いられる第２の実施形態のチークレストにつき、図２５〜図３０を参照して説明する。第１の実施形態におけるチークレスト７２は、顎支持部７２１の両翼に立ち上がり壁７２５が設けられているのに対し、この第２の実施形態のチークレスト７２ａは、顎支持部７２１ａの片側にだけ、立ち上がり壁７２５ａが設けられている。その他の構成は、第１の実施形態のチークレスト７２と同じである。
【００９７】
このチークレスト７２ａの基部７２３の中心部上方に位置する顎支持部７２１ａには、顎を載せる位置が認識できるように、円弧状の凸部７２６が設けられている。この凸部７２６から一方向に顎支持部７２１ａが延在している。この顎支持部７２１ａは、被検者保持部７に取り付けた際に、被検者保持部７の水平面７ａ（頭部固定装置７０の水平面）と平行になるように形成されている。そして、顎支持部７２１ａの先端側に顎支持部７２１ａの垂線方向に対して３０°の角度に設定された立ち上がり壁７２５ａを有する。
【００９８】
顎支持部７２１ａの下方には、基部７２３の孔部７２３ｃに挿入される軸７２７ｓを有する支持部材７２７が設けられている。この支持部材７２７の軸７２７ｓの中央部の対向する箇所に凹所７２７ｄがそれぞれ設けられている。基部７２３の中央部には、孔部７２３ｃに入り込むピン７２８が取り付けられている。このピン７２８と軸７２７ｓの凹所７２７ｄが係合し、基部７２３に支持部材７２７が位置決めされて取り付けられる。また、立ち上がり壁７２５ａの位置を左右に切り替えるときには、孔部７２３ｃから支持部材７２７の軸７２７ｓを抜き、１８０°回転させて、孔部７２３ｃに軸７２７ｓを差し込み、ボルト７２８と軸７２７ｓの凹所７２７ｄが係合させ、基部７２３に支持部材７２７を取り付ける。
【００９９】
すなわち、図２５〜図２７に示すチークレスト７２ａとは、逆方向の耳側の頬に立ち上がり壁７２５を当接する場合には、図２８、図２９に示す方向に軸７２７ｓを差し込み、顎支持部７２１ａを取り付けることにより、基部７２３に対して逆方向に立ち上がり壁７２５が位置するチークレスト７２ａが用意できる。
【０１００】
図４及び図５に示すように、頭部固定装置７０の固定孔部７２０ａにチークレスト７２ａの取付部７２２を挿入して取り付けることにより、頭部固定装置７０にチークレスト７２ａが固定される。この頭部固定装置７０に取り付けたチークレスト７２ａの顎支持部７２１ａの平面と、被検者保持部７の水平面７ａとの間のなす角度は平行な状態となる。この顎支持部７２１ａの先端側に顎支持部７２１ａの垂線に対して３０°の角度に設定された立ち上がり壁７２５ａが設けられている。
【０１０１】
図３０に示すように、チークレスト７２ａの顎支持部７２１ａの凸部７２６に、被検者Ｏの顎を当てて位置決めし、立ち上がり壁７２５ａに頬が当接するように、被検者Ｏの頭を傾けると、正面方向から見てＸ線検出部５２に対して被検者Ｏの正中線（Ｃ）の傾斜が３０°となるように、被検者Ｏの体位が位置決めされる。
【０１０２】
次に、この発明のＸ線撮影装置に用いられるチークレストの第３の実施形態につき、図３１を参照して説明する。この第３の実施形態のチークレスト７２ｂは、顎支持部が伸縮自在に形成され、大人、子供など顔の幅が異なる場合においても対応可能に構成したものである。図３１示すように、立ち上がり壁７２５ｂを先端に設けた顎支持部７２１ｂが、凸部７２６を設けた中央顎支持部７２０ｂに設けた凹所７２０ｄに摺動自在に取り付けられている。支持部材７２７ｆは中央顎支持部７２０ｂから顎支持部７２１ｂが離れたときもこの顎支持部７２１ｂが脱落しないように支持するように構成されている。
【０１０３】
そして、凹所７２０ｄから離れる方向に顎支持部７２１ｂを移動させると、顎支持部の幅が広くなり、凹所７２０ｄに近づく方向に移動させると顎支持部の幅が狭くなる。顎支持部の幅を調整して、顔の幅に対応させるようしたものである。なお、この第３の実施形態は、両側に立ち上がり壁７２５を設けているが、一方にのみ立ち上がり壁７２５ｂを設けたものにも適用することはできる。
【０１０４】
次に、この発明のＸ線撮影装置に用いられるチークレストの第４の実施形態につき、図３２を参照して説明する。この第４の実施形態のチークレスト７２ｃは、顔を包み込むように形成した顔支持部７２０ｆを有し、この顔支持部７２０ｆをシャフト７２３ｓにより、基部７２３に回転自在に取り付けたものである。顔支持部７２０ｆの下方にシャフト７２３ｓに回転自在に取り付けられる固定部７２０ｅが設けられ、支持部７２７ｇに取り付けたシャフト７２３ｓに固定部７２０ｅを取り付けることにより、顔支持部７２０ｆが回転偉材に取り付けられている。また、顔支持部７２０ｆの中央部には凸部７２６が設けられ、被検者Ｏの顎の位置決めの目安にしている。このチークレスト７２ｃは、被検者Ｏの顔を顔支持部７２０ｆに支持させ、この顔支持部７２０ｆを所定角度、例えば３０°回転させて、被検者Ｏの位置決めを行うものである。
【０１０５】
このＸ線撮影装置は、立位、座位に関わらず、支柱２に昇降本体３を上下移動自在に取り付けられたＸ線撮影装置に適用することができる。
【０１０６】
今回開示された実施の形態はすべての点で例示であって制限的なものではないと考えられるべきである。この発明の範囲は、上記した実施の形態の説明ではなくて特許請求の範囲によって示され、特許請求の範囲と均等の意味および範囲内でのすべての変更が含まれることが意図される。
【符号の説明】
【０１０７】
１  ベース
２  支柱
３  昇降本体
４  保持フレーム
５  旋回アーム
５ｃ  旋回軸
６  水平フレーム
７  頭部固定部
７ａ  水平面
８  操作パネル
５１  Ｘ線照射部
５２  Ｘ線検出部
７０  被検者保持装置
７１  グリップ
７２、７２ａ、７２ｂ、７２ｃ  チークレスト
７２１  顎支持部
７２５、７２５ａ、７２５ｂ  立ち上がり壁
７２６  凸部
【図１】
2015083024.tif 000003
【図２】
2015083024.tif 000004
【図３】
2015083024.tif 000005
【図４】
2015083024.tif 000006
【図５】
2015083024.tif 000007
【図６】
2015083024.tif 000008
【図７】
2015083024.tif 000009
【図８】
2015083024.tif 000010
【図９】
2015083024.tif 000011
【図１０】
2015083024.tif 000012
【図１１】
2015083024.tif 000013
【図１２】
2015083024.tif 000014
【図１３】
2015083024.tif 000015
【図１７】
2015083024.tif 000016
【図１８】
2015083024.tif 000017
【図１９】
2015083024.tif 000018
【図２０】
2015083024.tif 000019
【図２１】
2015083024.tif 000020
【図２４】
2015083024.tif 000021
【図２５】
2015083024.tif 000022
【図２６】
2015083024.tif 000023
【図２７】
2015083024.tif 000024
【図２８】
2015083024.tif 000025
【図２９】
2015083024.tif 000026
【図３０】
2015083024.tif 000027
【図３１】
2015083024.tif 000028
【図３２】
2015083024.tif 000029
【図３３】
2015083024.tif 000030
【図３４】
2015083024.tif 000031
【図１４】
2015083024.tif 000032
【図１５】
2015083024.tif 000033
【図１６】
2015083024.tif 000034
【図２２】
2015083024.tif 000035
【図２３】
2015083024.tif 000036